(57)【要約】【課題】相互に組合せ可能であるほか、一般の伝統的なナット及びナット着脱工具との組合せ使用可能な多角形ナットとナット着脱工具の構造を提供する。【解決手段】ナットは適宜長さの螺柱を具え、該螺柱外径が一端よりもう一端に向けて徐々に縮小し、且つ前述の螺柱外周面に設けられた複数の端面の幅も螺柱の外径の漸縮に従い一端よりもう一端に向けて徐々に縮小し、並びに該複数の端面が環状に隣接して一つの受力面を形成し、該ナット着脱工具のナットスリーブはその内側に適当な深さの嵌合槽を具え、該嵌合槽の内径が開口から内向きに徐々に縮小し、且つそれに伴い嵌合槽内壁の複数の壁面の幅も開口端より内向きに徐々に縮小し、並びに前述の複数の壁面が環状に隣接してナットの受力面に接合可能な一つの接合面を形成する。【特許請求の範囲】
【請求項１】
固定物と被固定物を螺接するナットにおいて、該ナットが適当な長さの螺柱を具え、該螺柱の外径が一端からもう一端に向けて徐々に縮小し、該螺柱外周面の複数の端面の幅径もまた螺柱外径の漸縮に伴い一端からもう一端に向けて徐々に縮小し、前述の複数の端面が環状に隣接して一つの受力面を形成したことを特徴とする、多角形ナットの構造。
【請求項２】
前記ナット内に一つの螺接槽があり、該螺接槽はナットを貫通するか或いは貫通しないことを特徴とする、請求項１に記載の多角形ナットの構造。
【請求項３】
前記ナットの螺柱の外径が一端からもう一端に向けて徐々に縮小する設計がボルトの頭部に運用されて、異なる規格のナット着脱工具のナットスリーブに組み合わせ可能とされたことを特徴とする、請求項１に記載の多角形ナット。
【請求項４】
前記螺柱の一端にストッパ縁が設けられたことを特徴とする、請求項１に記載の多角形ナット。
【請求項５】
棒体と、
該棒体の一端に連接されるナットスリーブとされて内部に適当な深さの嵌合槽を具え、該嵌合槽の内径が開口より内向きに徐々に縮小し、且つ該嵌合槽内壁の複数の壁面の直径もまた嵌合槽内径の漸縮に伴い開口端縁より内向きに徐々に縮小し、該複数の壁面が環状に連接され一つの接合面を形成する上記ナットスリーブとを具えた多角形ナット着脱工具の構造。
【請求項６】
前記棒体が直棒状或いは折り曲げ状とされたことを特徴とする、請求項５に記載の多角形ナット着脱工具の構造。
【請求項７】
前記ナットスリーブの嵌合槽の深さがナットの長さにより決定されることを特徴とする、請求項５に記載の多角形ナット着脱工具の構造。
【請求項８】
前記ナットスリーブの内径がナット外径により決定されることを特徴とする、請求項５に記載の多角形ナット着脱工具の構造。
【発明の詳細な説明】
【０００１】
本発明は一種の多角形ナットとナット着脱工具の構造に係り、特にナットとナット着脱工具のナットスリーブの、一端からもう一端に向けて漸次縮小する設計下で、相互に組合せ使用とされるほか、さらに、一般の伝統的なナットとナット着脱工具と組合せての使用も可能とした多角形ナットとナット着脱工具の構造に関する。
【０００２】
現在あるスリーブスパナはその規格が相当多くあり、ナットを回す必要がある時には、ナットと同じ規格のスリーブを使用しなければならない。しかし一般の人がこれらのスリーブとナットの規格を知るのは実際には容易なことではなく、時にはナットと同じ規格のスリーブを見つけるのに半日もの時間がかかることがあり、それでも探せないことさえある。
【０００３】
現在非常に多くの製品にＤＩＹが流行している。我々一般人がＤＩＹ作業を行う時にはナットとスリーブスパナを組み合わせて使用しなければならない場合がある。しかし、一般家庭にあって、急に必要となった場合に、通常は同じ規格のスリーブを見つけて組み合わせて使用することができず、このために順調に作業を完成できなくなる場合がよくある。或いは、ナットと同じ規格のスリーブを見つけるために多くの貴重な時間を費やすことになったり、さらには、ナットと同じ規格のスリーブを見つけることができずに過大のスリーブを使用したために、スリーブ或いはナットが損壊してとりかえしのつかないことになる場合もあった。
【０００４】
並びに、現在、スリーブとナットの製造上、１５条から２０条の公差が許容されており、もし一つのスリーブとナットがちょうどその公差値が最大に達すると、両者を緊密に嵌合できなくなり、無理に使用すると、その間隙が過大であることから、スリーブとナットの磨耗が形成される場合があった。
【０００５】
本発明の主要な目的は、上述の欠点を解決して欠点を存在を回避することにあり、即ち、本発明によると、ナットは適宜長さの螺柱を具え、該螺柱外径が一端よりもう一端に向けて徐々に縮小し、且つ前述の螺柱外周面に設けられた複数の端面の幅も螺柱の外径の漸縮に従い一端よりもう一端に向けて徐々に縮小し、並びに前述の複数の端面が環状に隣接して一つの受力面が形成される。また、該ナット着脱工具のナットスリーブはその内側に適当な深さの嵌合槽を具え、該嵌合槽の内径が開口から内向きに徐々に縮小し、且つ前述の嵌合槽内壁の複数の壁面の幅も嵌合槽の内径の漸縮に伴い開口端より内向きに徐々に縮小し、並びに前述の複数の壁面が環状に隣接してナットの受力面に接合可能な一つの接合面が形成されている。
【０００６】
本発明のもう一つの目的は、上述のナットとナット着脱工具を組合せ使用可能とするほか、それぞれを伝統的なナットとナット着脱工具と組み合わせて使用可能とすることにある。
【０００７】
本発明のさらにもう一つの目的は、ナットの螺柱外径の一端からもう一端に向けて徐々に縮小する設計を、ボルトの頭部に運用して、異なる規格のナット着脱工具のナットスリーブと組み合わせて使用できるようにすることにある。
【０００８】
本発明の詳細な説明及び技術内容については、図を参照しながら以下に説明する。
【０００９】
図１、２に示されるのは、本発明のナットとナット着脱工具の外観立体図及び組合せ断面表示図である。図示されるように、本発明の多角形ナットとナット着脱工具の構造は、固定物と被固定物間に螺着されたナット１と、前述のナット１を締結するナット着脱工具２を具え、該ナット１内にナットを貫通するか或いは貫通しない螺接槽１３が設けられ、該螺接槽１３内に雌ネジ１４を有し、その外側に適宜長さの螺柱１１を有し、該螺柱１１の外径は一端からもう一端に向けて徐々に縮小し、且つ前述の螺柱１１外周面の複数の端面１２の幅も螺柱１１の外径の漸縮に伴い一端からもう一端に向けて徐々に縮小し、並びに前述の複数の端面１２が環状に隣接して一つの受力面を形成し、且つ該螺柱１１の前部にストッパ縁１５が設けられ、このストッパ縁１５がナット着脱工具２がナットを締める時に被固定物の表面を傷つけるのを防止する。
【００１０】
該ナット着脱工具２は、直棒状或いは折り曲げ状の棒体２１と、前述の棒体２１の一端に連接されるナットスリーブ２２で構成され、前述のナットスリーブ２２の内部に適当な深さの嵌合槽２３があり、該嵌合槽２３の内径は開口部分より内向きに徐々に縮小し、且つ前述の嵌合槽２３内壁の複数の壁面２４の幅も嵌合槽２３の内径の漸縮に従い開口端縁より内向きに徐々に縮小し、並びに前述の複数の壁面２４が環状に隣接してナット１の受力面と接合可能な接合面を形成し、且つ前述のナットスリーブ２２の内径及び深さが上述のナット１の外径及び長さにより定められる。
【００１１】
図３は、本発明のナットと一般のナット着脱工具の組合せ使用表示図である。図示されるように、本発明のナット１の外周縁は一端からもう一端に向けて徐々に縮小する設計であり、このため使用時に、前述のナット１の外周縁と同じ形状のナットスリーブ２２着脱工具を組み合わせて使用する必要があり、もし本発明のナット着脱工具２を使用しない場合は、一般の伝統的なナット着脱工具２’を使用でき、この一般の伝統的なナット着脱工具２’のナットスリーブ２２’の内径は比較的大きく、直接ナット１の螺柱１１とストッパ縁１５の連接部間に套設可能で、こうしてナットスリーブ２２’内壁の接合面がナット１の受力面と接合してナット１を締めることができる。
【００１２】
もし伝統的なナット着脱工具２’のナットスリーブ２２’の内径が比較的小さい時は、直接螺柱１１の外径の比較的小さいところに套設し、前述のナットスリーブ２２’の内壁の接合面とナット１の受力面を接合してナット１を締めることができる。
【００１３】
このように、上述の本発明のナット１の螺柱１１の外径は一端からもう一端に向けて徐々に縮小する設計であるため、本発明の設計のナット着脱工具２と使用するほか、伝統的なナット着脱工具２’のナットスリーブ２２’（且つ一般の伝統的なナット着脱工具のナットスリーブを有するもののほか、リングスパナ及び梅花スパナ等）の内径の制限を受けない。
【００１４】
図４は本発明のナット着脱工具と伝統的なナットの組合せ使用表示図である。図示されるように、本発明のナット着脱工具２は本発明のナット１と組み合わせて使用されるほか、一般の伝統的なナット１’にも使用可能で、該ナット１’の外径がもしナット着脱工具２のナットスリーブ２２内部の最大内径より大きくなければ、ナット着脱工具２のナットスリーブ２２内部の接合面をナット１’の受力面上に套設してナット１’を締めることができる。
【００１５】
図５、６、７は本発明のもう一つの実施例図及びリングスパナの開口正面図と梅花スパナ表示図である。図示されるように、もし上述のリングスパナ３（梅花スパナ３’）を本発明のナット１に運用する時には、該リングスパナ３の開口（梅花スパナ３’の円径３１’）両側壁面３１が一つの斜面を呈する設計とされ、以てナット１の螺柱１１の一端からもう一端に向けて徐々に縮小する設計に組み合わされる。
【００１６】
図８は本発明のもう一つの実施例表示図である。図示されるように、本発明の設計のナット１の螺柱１１外径は一端からもう一端に向けて徐々に縮小する設計は、ボルト４の頭部４１に運用可能であり、これにより異なる規格のナット着脱工具２’のナットスリーブ２２’に使用できる。
【００１７】
以上から分かるように、本発明のナット１とナット着脱工具２は相互に組合せ使用可能であるほか、一般の伝統的なナット１’及びナット着脱工具２’と組み合わせて使用でき、これにより本発明のナット１とナット着脱工具２は最小の異なる規格のナット１’及びナット着脱工具２’という制限の下で、ナット１及びナット着脱工具２の作用と機能を発揮することができる。
【図面の簡単な説明】
【図１】本発明のナットとナット着脱工具の外観立体図である。
【図２】本発明のナットとナット着脱工具の組合せ断面図である。
【図３】本発明のナットと一般のナット着脱工具の組合せ使用表示図である。
【図４】本発明のナット着脱工具と伝統的なナットの組合せ使用表示図である。
【図５】本発明のリングスパナの実施例表示図である。
【図６】図５のリングスパナの開口正面図である。
【図７】本発明の梅花スパナの実施例表示図である。
【図８】本発明のもう一つの実施例表示図である。
【符号の説明】
１  ナット
２  ナット着脱工具
１３  螺接槽
１４  雌ネジ
１１  螺柱
１２  端面
１５  ストッパ縁
２１  棒体
２２  ナットスリーブ
２３  嵌合槽
２４  壁面
２’  ナット着脱工具
２２’  ナットスリーブ
１’  ナット
３  リングスパナ
３’  梅花スパナ
３１’  円径
４  ボルト
４１  頭部
【図１】
2004286039.tif 000002
【図２】
2004286039.tif 000003
【図３】
2004286039.tif 000004
【図４】
2004286039.tif 000005
【図５】
2004286039.tif 000006
【図６】
2004286039.tif 000007
【図７】
2004286039.tif 000008
【図８】
2004286039.tif 000009